【事件の表示】
　特願２００４−３６３２３２「センサ出力値検出装置」拒絶査定不服審判事件〔平成１８年　６月２９日出願公開、特開２００６−１７０７８０〕について、次のとおり審決する。
【結　論】
　本件審判の請求は、成り立たない。
【理　由】
１　手続の経緯  
　
　平成１６年１２月１５日　特許出願
　平成２０年１０月　３日　拒絶理由通知（同年１０月７日発送）
　平成２０年１２月　３日　意見書
　平成２０年１２月２５日　拒絶査定（平成２１年１月６日送達）
　平成２１年　２月　５日　本件審判請求
　平成２１年　３月　２日　手続補正書
　平成２２年　４月　８日　審尋（平成２２年４月１３日発送）
　平成２２年　６月　９日　回答書
 　 
２　平成２１年３月２日付け手続補正についての補正却下の決定 
　
[補正却下の決定の結論] 
　
　平成２１年３月２日付け手続補正を却下する。 
　
[理由］独立特許要件違反 
　
　平成２１年３月２日付け手続補正（以下「本件補正」とする。）により、本件補正前の請求項は、 
「【請求項１】
　検出量に応じた電圧値を出力するセンサと、該センサの出力電圧に基づいて、前記検出量を検出する検出手段とを備えたセンサ出力値検出装置において、
　基準となる基準電圧を出力する基準電圧発生手段と、
　前記基準電圧発生手段から出力される基準電圧に応じた検出量と、予め記憶した基準電圧に対応した理想検出量とを比較して、両者のズレの割合を算出する算出手段と、
　前記センサから出力された電圧値に基づいて前記検出手段によって検出された検出量を、前記算出手段により算出されたズレの割合に応じて補正する補正手段と、
　を備えることを特徴とするセンサ出力値検出装置。
・・・」から 
「【請求項１】 
　
電圧を検出し、検出した電圧をアナログ検出電圧値として
　
所定の基準電圧を発生し、発生した基準電圧をアナログ基準電圧値として
　
前記アナログ検出電圧値をデジタル信号に変換し、前記センサで検出された電圧を読み取るマイクロコンピュータと、
を備えたセンサ出力値検出装置において、
　
前記マイクロコンピュータは、
　
前記アナログ検出電圧値をデジタル検出電圧値に変換し、かつ前記アナログ基準電圧値をデジタル基準電圧値に変換するＡ／Ｄ変換手段と、
　予め記憶した前記基準電圧に対応した
デジタル理想電圧値と前記デジタル基準電圧値
デジタル理想電圧値とデジタル基準電圧値と
　
前記算出手段で算出されたズレの割合に応じて前記デジタル検出電圧値を
　を備えたことを特徴とするセンサ出力値検出装置。
・・・」
に補正された。 （下線は、補正箇所を明示するために請求人が付した。）
　
　そして、この補正は、
・センサに関し、「検出量」が「電圧」であること、及び、出力される「電圧値」が「アナログ検出電圧値」であることを限定し、
・基準電圧発生手段に関し、出力される「基準電圧」が「アナログ基準電圧値」であることを限定し、
・「該センサの出力電圧に基づいて、前記検出量を検出する検出手段」を「前記アナログ検出電圧値をデジタル信号に変換し、前記センサで検出された電圧を読み取るマイクロコンピュータ」と補正し、
・「マイクロコンピュータ」が「前記アナログ検出電圧値をデジタル検出電圧値に変換し、かつ前記アナログ基準電圧値をデジタル基準電圧値に変換するＡ／Ｄ変換手段」を備えることを限定し、
・算出手段に関し、「マイクロコンピュータ」が備える発明特定事項であることを限定し、かつ、「前記基準電圧発生手段から出力される基準電圧に応じた検出量と、予め記憶した基準電圧に対応した理想検出量とを比較して、両者のズレの割合を算出する」ことを「予め記憶した前記基準電圧に対応したデジタル理想電圧値と前記デジタル基準電圧値とを比較し、デジタル理想電圧値とデジタル基準電圧値とのズレの割合を算出する」ことに補正し、
・補正手段に関し、「マイクロコンピュータ」が備える発明特定事項であることを限定し、かつ、「前記センサから出力された電圧値に基づいて前記検出手段によって検出された検出量を、前記算出手段により算出されたズレの割合に応じて補正する」ことを「前記算出手段で算出されたズレの割合に応じて前記デジタル検出電圧値を補正する」ことに補正するものである。
　したがって、この補正は、特許請求の範囲の減縮を目的とするものに該当する。 
　
　そこで、本件補正後の請求項１に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。 
　
（１）本件補正後の本願発明 
　
　本願の請求項１に係る発明（以下「本願補正発明」という。）は、本件補正により補正された特許請求の範囲、明細書及び図面からみて、その請求項１に記載された以下のものと認める。 
「電圧を検出し、検出した電圧をアナログ検出電圧値として出力するセンサと、
　所定の基準電圧を発生し、発生した基準電圧をアナログ基準電圧値として出力する基準電圧発生手段と、
　前記アナログ検出電圧値をデジタル信号に変換し、前記センサで検出された電圧を読み取るマイクロコンピュータと、
を備えたセンサ出力値検出装置において、
　前記マイクロコンピュータは、
　前記アナログ検出電圧値をデジタル検出電圧値に変換し、かつ前記アナログ基準電圧値をデジタル基準電圧値に変換するＡ／Ｄ変換手段と、
　予め記憶した前記基準電圧に対応したデジタル理想電圧値と前記デジタル基準電圧値とを比較し、デジタル理想電圧値とデジタル基準電圧値とのズレの割合を算出する算出手段と、
　前記算出手段で算出されたズレの割合に応じて前記デジタル検出電圧値を補正する補正手段と、
　を備えたことを特徴とするセンサ出力値検出装置。」
　
（２）引用発明 
（２−１）引用刊行物の記載事項
　原査定の拒絶の理由に引用され、本願の出願前に頒布された刊行物である特開平８−１２６８５１号公報（以下「引用刊行物」という。）には、「遠心機の過電圧検出回路」（発明の名称）の発明に関して、以下の事項が記載されている。 
　
＜記載事項１＞
「【０００１】
【産業上の利用分野】本発明は、遠心機のように多種のロータ負荷を駆動するインバータの過電圧検出回路及び調整方式に関するものである。」
　
＜記載事項２＞
「【０００２】
【従来の技術】遠心機に使用される誘動機及びインバータに要求される機能としては、誘動機にのせたロータを定格内で最短時間で加速・減速させることにある。特に減速時間を短くするために制動方式を回生制動方式としている。遠心機の負荷であるロータは多種類あり、それぞれ許容回転数、慣性モーメントが違っている。そこで許容回転数、慣性モーメントの小さいロータは回生されたエネルギーを吸収できるが、高回転数、慣性モーメントの大きいロータは吸収しきれず、コンバータ部の電圧を上昇させてしまう。この電圧が過大になるとインバータを破壊するため、コンバータ電圧を検知し、上昇分を電源側に戻したり、抵抗で消費してコンバータの電圧を抑えるようにしている。そこで遠心機のように多種の負荷を最短時間で減速させるには、コンバータの電圧を精度よく検出する必要が出てくる。
【０００３】従来の過電圧検出回路は図３に示すように強電部と弱電部の絶縁の為にフォトカプラ２０を使用している。フォトカプラのフォトダイオードの順電流はコンバータの電圧により変化し、フォトトランジスタに伝わり、コレクタ電圧の変化となってＣＰＵ２３のアナログポートに入力される。
【０００４】調整は実際のコンバータの電圧にし、調整用ボリューム２１でコレクタ電圧を調整している。従来の技術の問題点としては、
（１）調整を実際のコンバータ電圧で行なうので簡便にするには定常時の電圧を利用することになる。しかし、この検出回路の目的は過電圧時の検出であり、定常時電圧の調整では誤差が生じる恐れがある。そこで、誤差を最少にするには過電圧での調整になるが、実際に過電圧を入力しなければならず、煩雑な調整となってしまう。
【０００５】（２）次にフォトカプラの変換効率の経年変化の問題がある。フォトカプラは経年変化で変換効率が悪くなってしまう。調整時には誤差なしにできても次第に誤差が増してしまう。遠心機のように製品寿命が５年〜１０年と長いと経年変化は無視できなくなってくる。
【０００６】
【発明が解決しようとする課題】従来の技術には、上述した調整の煩雑さ及び経年変化による誤差の増大という問題があった。
【０００７】本発明の目的は、過電圧検出回路の調整を自動化すると共に経年変化による誤差をなくすことである。」
　
＜記載事項３＞
「【０００８】
【課題を解決するための手段】上記目的は、コンバータ部の過電圧検出回路から調整用ボリュームをなくし、遠心機を制御するＣＰＵのイニシャル動作時に調整用リレーをオンにしてコンバータの過電圧に相当する基準電圧をツェナーダイオードで発生させ、フォトカプラによって絶縁したコレクタ電圧のＡ／Ｄ値をＣＰＵが自動調整することで達成される。
【０００９】
【作用】上記のように構成されたコンバータの過電圧検出回路を持つ遠心機は、電源が入り、遠心機制御用ＣＰＵがイニシャル動作をする毎に自動調整を行ない、フォトカプラが経年変化で変換効率が下った誤差分も含めて調整するようになるので経年変化の影響を受けないように動作する。」
　
＜記載事項４＞
「【００１０】
【実施例】図１はコンバータ部の過電圧検出回路の１実施例を示している。この回路の入力電圧はコンバータ部の電圧（ＤＣ  ＶＯＬＴ）である。出力電圧はフォトカプラ１、内部のフォトトランジスタのコレクタ電圧である。この電圧はＣＰＵ１１のアナログポート端子に入力される。
【００１１】コンバータの電圧は定常時、ＤＣ２８０Ｖになっている。コンバータ電圧は、抵抗２と抵抗３で分圧する。分圧によりコンバータ電圧を１／１００にする。そこでコンバータ電圧がＤＣ２８０Ｖの時、入力電圧Ｖｉは２．８Ｖとなる。
【００１２】回生制動時のコンバータ電圧の許容電圧をＤＣ４５０Ｖとする時、Ｖｉは４．５Ｖになるのでツェナーダイオード４の基準電圧は許容電圧より少し高いＤＣ５００Ｖに相当する５．０Ｖとする。Ｖｉはバッファー回路５に入力する。バッファー回路はＶｉが後段の検出回路のインピーダンスの影響を受けないようにするとともに、フォトダイオードに適切な順電流を流す電源の役割をしている。次段の定電流回路でフォトダイオードの順電流を安定にさせている。
【００１３】遠心機の制御部のＣＰＵはインバータの制御の他に温度制御、操作パネルの制御等を行なっている。遠心機の電源がオンされると制御部のＣＰＵは、これらの制御を始める前にＣＰＵのポートや周辺ＩＣの初期化（イニシャル動作）を行なう。このイニシャル動作の途中でＣＰＵはリレー７をオンにする。するとツェーダイオード４（当審注：「ツェナーダイオード４」の誤記と認める。）と抵抗８により、Ｖｉは基準電圧５．０Ｖとなる。ＣＰＵ１１はアナログポートから入力した電圧をＡ／Ｄ変換し、そのＡ／Ｄ値をコンバータ部の電圧が、ＤＣ５００Ｖの時の電圧として認識し、自動調整する。これで調整が完了し、ＣＰＵはリレー７をオフする。」
　
＜記載事項５＞
「【００１６】
【発明の効果】本発明によれば、過電圧検出回路の調整を自動化できるので、調整用ボリュームを削除し調整をなくすことができる。また遠心機の電源をオンする毎に自動調整するのでフォトカプラの経年変化による誤差をなくすことができる。」
　
（２−２）引用刊行物に記載された発明
（２−２−１）
　上記記載事項１には、「・・・本発明は、遠心機のように多種のロータ負荷を駆動するインバータの過電圧検出回路及び調整方式に関するものである。」と記載されている。
　この記載によれば、引用刊行物には、「遠心機の過電圧検出回路」の発明が記載されている。
　
（２−２−２）
　上記記載事項４には、「【００１０】・・・この回路の入力電圧はコンバータ部の電圧（ＤＣ  ＶＯＬＴ）である。・・・【００１１】・・・コンバータ電圧は、抵抗２と抵抗３で分圧する。分圧によりコンバータ電圧を１／１００にする。そこでコンバータ電圧がＤＣ２８０Ｖの時、入力電圧Ｖｉは２．８Ｖとなる。」と記載されている。
　この記載によれば、引用刊行物の「遠心機の過電圧検出回路」は、「コンバータ電圧が入力され、コンバータ電圧を１／１００の入力電圧Ｖｉに分圧する抵抗２と抵抗３」を備えている。
　
（２−２−３）
　上記記載事項４には、「【００１３】・・・このイニシャル動作の途中でＣＰＵはリレー７をオンにする。するとツェーダイオード４と抵抗８により、Ｖｉは基準電圧５．０Ｖとなる。」と記載されている。
　この記載によれば、引用刊行物の「遠心機の過電圧検出回路」は、「イニシャル動作の途中でリレー７がオンされることにより、入力電圧Ｖｉとして基準電圧５．０Ｖを出力するツェナーダイオード４と抵抗８」を備えている。
　
（２−２−４）
　上記記載事項４には、「【００１０】・・・出力電圧はフォトカプラ１、内部のフォトトランジスタのコレクタ電圧である。この電圧はＣＰＵ１１のアナログポート端子に入力される。・・・【００１２】・・・Ｖｉはバッファー回路５に入力する。バッファー回路はＶｉが後段の検出回路のインピーダンスの影響を受けないようにするとともに、フォトダイオードに適切な順電流を流す電源の役割をしている。次段の定電流回路でフォトダイオードの順電流を安定にさせている。【００１３】・・・ＣＰＵ１１はアナログポートから入力した電圧をＡ／Ｄ変換し、そのＡ／Ｄ値をコンバータ部の電圧が、ＤＣ５００Ｖの時の電圧として認識し、自動調整する。」と記載されている。
　この記載によれば、引用刊行物の「遠心機の過電圧検出回路」は、「入力電圧Ｖｉに対応したフォトカプラ１の出力電圧がアナログポート端子に入力され、入力された電圧をＡ／Ｄ変換し、そのＡ／Ｄ値をコンバータ電圧として認識するＣＰＵ１１」を備えている。
　
（２−２−５）
　上記記載事項４には、「このイニシャル動作の途中でＣＰＵはリレー７をオンにする。するとツェーダイオード４と抵抗８により、Ｖｉは基準電圧５．０Ｖとなる。ＣＰＵ１１はアナログポートから入力した電圧をＡ／Ｄ変換し、そのＡ／Ｄ値をコンバータ部の電圧が、ＤＣ５００Ｖの時の電圧として認識し、自動調整する。これで調整が完了し、ＣＰＵはリレー７をオフする。」と記載されている。
　よって、引用刊行物の「遠心機の過電圧検出回路」の「ＣＰＵ１１」は、「イニシャル動作時に、基準電圧５．０Ｖとなった入力電圧Ｖｉに対応した電圧をＡ／Ｄ変換し、そのＡ／Ｄ値を、コンバータ電圧がＤＣ５００Ｖの時の電圧として認識し、自動調整を行い、その後は、通常動作に移行する」ものである。
　　
（２−２−６）
　（２−２−１）〜（２−２−５）によれば、引用刊行物には、以下の発明が記載されている。 
「コンバータ電圧が入力され、コンバータ電圧を１／１００の入力電圧Ｖｉに分圧する抵抗２と抵抗３と、
　イニシャル動作の途中でリレー７がオンされることにより、前記入力電圧Ｖｉとして基準電圧５．０Ｖを出力するツェナーダイオード４と抵抗８と、
　前記入力電圧Ｖｉに対応したフォトカプラ１の出力電圧がアナログポート端子に入力され、入力された電圧をＡ／Ｄ変換し、そのＡ／Ｄ値をコンバータ電圧として認識するＣＰＵ１１と
　を備えた遠心機の過電圧検出回路であって、
　前記ＣＰＵ１１は、イニシャル動作時に、基準電圧５．０Ｖとなった入力電圧Ｖｉに対応した電圧をＡ／Ｄ変換し、そのＡ／Ｄ値を、コンバータ電圧がＤＣ５００Ｖの時の電圧として認識し、自動調整を行い、その後、通常動作に移行する
　遠心機の過電圧検出回路。」（以下、「引用発明」という。）
　
（３）対比 
　本願補正発明と引用発明とを比較する。 
　
（３−１）
　引用発明の、入力される、「コンバータ電圧」は、本願補正発明の、検出された、「電圧」に相当し、以下同様に、「入力電圧Ｖｉ」は「アナログ検出電圧値」に相当する。
　また、引用発明の「コンバータ電圧が入力され、コンバータ電圧を１／１００の入力電圧Ｖｉに分圧する抵抗２と抵抗３」と、本願補正発明の「電圧を検出し、検出した電圧をアナログ検出電圧値として出力するセンサ」とは共に、「検出対象の電圧に対応するアナログ電圧値を出力する出力手段」である点で共通し、引用発明の「遠心機の過電圧検出回路」と、本願補正発明の「センサ出力値検出装置」とは共に、「出力手段からの出力値検出装置」である点で共通する。
　
（３−２）
　引用発明の「ツェナーダイオード４と抵抗８」は、イニシャル動作の途中でリレー７がオンされることにより、基準電圧５．０Ｖを発生して、後段の回路に入力電圧Ｖｉとして出力するものである。
　よって、引用発明の「基準電圧５．０Ｖ」は、本願補正発明の「所定の基準電圧」に相当し、引用発明の「基準電圧５．０Ｖ」の「入力電圧Ｖｉ」は、本願補正発明の「アナログ基準電圧値」に相当する。そして、引用発明の、基準電圧５．０Ｖを発生して、後段の回路に入力電圧Ｖｉとして出力する、「ツェナーダイオード４と抵抗８」は、本願補正発明の、所定の基準電圧を発生し、発生した基準電圧をアナログ基準電圧値として出力する、「基準電圧発生手段」に相当する。
　
（３−３）
　引用発明の「ＣＰＵ１１」は、入力電圧Ｖｉに対応したフォトカプラ１の出力電圧がアナログポート端子に入力され、入力された電圧をＡ／Ｄ変換し、そのＡ／Ｄ値をコンバータ電圧として認識するものである。そして、（３−１）の相当関係から、引用発明の「コンバータ電圧」は、本願補正発明の検出された「電圧」に相当し、引用発明の「入力電圧Ｖｉ」は、本願補正発明の「アナログ検出電圧値」に相当する。また、引用発明の「抵抗２と抵抗３」と、本願補正発明の「センサ」とは共に、「検出対象の電圧に対応するアナログ電圧値を出力する出力手段」である点で共通する。
　よって、引用発明の「Ａ／Ｄ値」は、本願補正発明の「デジタル信号」に相当する。そして、引用発明の「前記入力電圧Ｖｉに対応したフォトカプラ１の出力電圧がアナログポート端子に入力され、入力された電圧をＡ／Ｄ変換し、そのＡ／Ｄ値をコンバータ電圧として認識するＣＰＵ１１」と、本願補正発明の「前記アナログ検出電圧値をデジタル信号に変換し、前記センサで検出された電圧を読み取るマイクロコンピュータ」とは共に、「アナログ検出電圧値に基づいてデジタル信号を発生し、前記出力手段から出力された電圧を読み取るマイクロコンピュータ」である点で共通する。
　
（３−４）
　引用発明の「ＣＰＵ１１」は、入力電圧Ｖｉに対応した電圧がアナログポート端子に入力され、入力された電圧をＡ／Ｄ変換し、そのＡ／Ｄ値を認識するものであるが、入力電圧Ｖｉは、通常動作時は、コンバータ電圧を１／１００に分圧した電圧であり、イニシャル動作時は、基準電圧５．０Ｖである。そして、（３−１）の相当関係から、引用発明の「コンバータ電圧」は、本願補正発明の検出された「電圧」に相当し、引用発明の「入力電圧Ｖｉ」は、本願補正発明の「アナログ検出電圧値」に相当し、（３−２）の相当関係から、引用発明の「基準電圧５．０Ｖ」の「入力電圧Ｖｉ」は、本願補正発明の「アナログ基準電圧値」に相当する。
　よって、引用発明の、通常動作時の、「Ａ／Ｄ値」は、本願補正発明の「デジタル検出電圧値」に相当し、引用発明の、イニシャル動作時の、「Ａ／Ｄ値」は、本願補正発明の「デジタル基準電圧値」に相当する。そして、引用発明の「ＣＰＵ１１」の、通常動作時に、入力電圧Ｖｉに対応した電圧をＡ／Ｄ値にＡ／Ｄ変換し、かつ、イニシャル動作時に、基準電圧５．０Ｖの入力電圧Ｖｉに対応した電圧をＡ／Ｄ値にＡ／Ｄ変換する、機能部分と、本願補正発明の「マイクロコンピュータ」の備える、アナログ検出電圧値をデジタル検出電圧値に変換し、かつアナログ基準電圧値をデジタル基準電圧値に変換する、「Ａ／Ｄ変換手段」とは共に、「マイクロコンピュータ」の備える「アナログ検出電圧値に基づいてデジタル基準電圧値を発生し、かつアナログ基準電圧値に基づいてデジタル基準電圧値を発生するＡ／Ｄ変換回路」である点で共通する。
　
（３−５）
　したがって、本願補正発明と引用発明の両者は、 
「検出対象の電圧に対応するアナログ電圧値を出力する出力手段と、
　所定の基準電圧を発生し、発生した基準電圧をアナログ基準電圧値として出力する基準電圧発生手段と、
　アナログ検出電圧値に基づいてデジタル信号を発生し、前記出力手段から出力された電圧を読み取るマイクロコンピュータと、
　を備えた出力手段からの出力値検出装置において、
　前記マイクロコンピュータは、
　前記アナログ検出電圧値に基づいてデジタル基準電圧値を発生し、かつ前記アナログ基準電圧値に基づいてデジタル基準電圧値を発生するＡ／Ｄ変換回路と、
　を備えた出力手段からの出力値検出装置。」の点で一致し、以下の点で相違する。　
［相違点１］
　出力手段に関し、本願補正発明では「電圧を検出し、検出した電圧をアナログ検出電圧値として出力するセンサ」であるのに対し、引用発明ではそのような発明特定事項が限定されていない点。また、これに派生して、本願補正発明では「センサ出力値検出装置」であるのに対し、引用発明ではそのような発明特定事項が限定されていない点。
　
［相違点２］ 
　マイクロコンピュータのＡ／Ｄ変換回路に入力される信号に関し、本願補正発明では「アナログ検出電圧値及びアナログ基準電圧値」そのものが入力されるのに対し、引用発明では「アナログ検出電圧値及びアナログ基準電圧値」に対応した電圧が入力される点。
　
［相違点３］
　自動調整処理に関し、本願補正発明では「マイクロコンピュータ」が「予め記憶した前記基準電圧に対応したデジタル理想電圧値と前記デジタル基準電圧値とを比較し、デジタル理想電圧値とデジタル基準電圧値とのズレの割合を算出する算出手段と、前記算出手段で算出されたズレの割合に応じて前記デジタル検出電圧値を補正する補正手段」とを備えるのに対し、引用発明ではそのような発明特定事項が明示されていない点。
　
（４）当審の判断 
　上記相違点について検討する。
　
　まず、相違点１について検討する。
　一般に、検出対象の電圧に対応するアナログ電圧値を出力する出力手段として、電圧を検出し、検出した電圧をアナログ検出電圧値として出力する電圧センサは、引例を挙げるまでもない周知・慣用の技術である。
　よって、引用発明において、検出対象の電圧に対応するアナログ電圧値を出力する出力手段として、抵抗２と抵抗３に代えて、上記周知・慣用の技術を適用して、電圧を検出し、検出した電圧をアナログ検出電圧値として出力する電圧センサを採用することは、当業者が容易になし得たことである。
　したがって、上記相違点１に係る本願補正発明の発明特定事項は、当業者が引用発明に基づいて容易に想到し得たことである。
　
　次に、相違点２について検討する。
　検出対象からの出力と、Ａ／Ｄ変換手段を有するマイクロコンピュータの接続に関し、検出対象からの出力を直接マイクロコンピュータの入力端子に入力するか、検出対象からの出力を２次変換する回路を介してマイクロコンピュータの入力端子に入力するかは、検出対象からの出力値の範囲と、マイクロコンピュータ内のＡ／Ｄ変換手段の入力値の範囲とのオーダーの差異、検出対象の設置環境等の要因に応じて、当業者が適宜選択し得る事項に過ぎない。
　よって、引用発明において、検出対象からの出力をＣＰＵ１１のアナログポート端子に直接入力する構成を選択することによって、通常動作時の入力電圧Ｖｉ（アナログ検出電圧値）、イニシャル動作時の入力電圧Ｖｉ（アナログ基準電圧値）を直接Ａ／Ｄ変換することは、当業者が容易になし得たことである。
　したがって、上記相違点２に係る本願補正発明の発明特定事項は、当業者が引用発明に基づいて容易に想到し得たことである。
　
　最後に、相違点３について検討する。
　「電圧センサ」の技術分野において、電圧センサのＡ／Ｄ変換された出力電圧値の誤差補正動作として、既知の電圧について理想測定電圧値と実測電圧値との差または比率を算出し、算出された差または比率を用いて通常動作時の実測電圧値を補正して、誤差補正された出力電圧値を得ることは、技術常識である。（理想測定電圧値と実測電圧値との差を使用することに関しては、例えば、特開平９−１１９８５３号公報の特に段落【０００３】〜【０００５】、【００１１】〜【００１９】、【００３９】、図１〜３に記載され、また、特開平４−３５１９７０号公報の特に段落【００２０】〜【００３７】、図２、６に記載されており、理想測定電圧値と実測電圧値との比率を使用することに関しては、例えば、上記の特開平９−１１９８５３号公報の特に段落【００２０】〜【００２９】、【００３９】、図４、５に記載され、また、特開２００１−２１８３５９号公報の特に段落【０００８】〜【００１０】、図１１に記載されている。）
　よって、引用発明の「ＣＰＵ１１」は、イニシャル動作時に、基準電圧５．０Ｖとなった入力電圧Ｖｉに対応した電圧をＡ／Ｄ変換し、そのＡ／Ｄ値を、コンバータ電圧がＤＣ５００Ｖの時の電圧として認識して自動調整処理を行い、その後、通常動作に移行しているところ、その自動調整処理の具体的態様として、上記技術常識を勘案し、引用刊行物の「遠心機の過電圧検出回路」の「ＣＰＵ１１」に対して、イニシャル動作時に、基準電圧５．０Ｖとなった入力電圧Ｖｉ（アナログ基準電圧値）に対応した電圧をＡ／Ｄ変換し、そのＡ／Ｄ値（デジタル基準電圧値）を、コンバータ電圧がＤＣ５００Ｖの時の電圧として認識し、予め記憶された理想測定電圧値（デジタル理想電圧値）と、実測電圧値であるイニシャル動作時のＡ／Ｄ値（デジタル基準電圧値）との差または比率（ズレの割合）を算出する自動調整を行い、通常動作時に、算出された差または比率（ズレの割合）を用いてＡ／Ｄ値（デジタル検出電圧値）を補正する機能を持たせることは、当業者が容易になし得たことである。
　したがって、上記相違点３に係る本願補正発明の発明特定事項は、当業者が引用発明に基づいて容易に想到し得たことである。
　
　そして、本願補正発明によってもたらされる「マイコンの読み取り（検出）ゲインの誤差の調整の手間の軽減」という効果も、引用発明によってもたらされる効果が「過電圧検出回路における電圧入力部とＣＰＵ１１のＡ／Ｄ値出力部の間に存在する誤差の調整の自動化」であることにかんがみれば、想定することができない格別のものと認めることもできない。
　
　したがって、本願補正発明は、引用発明に基づいて当業者が容易に発明をすることができたものである。 
　
　よって、本願補正発明は、特許法第２９条第２項の規定により、特許出願の際独立して特許を受けることができない。
　
（５）まとめ 
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するから、特許法第１５９条第１項で読み替えて準用する特許法第５３条第１項の規定により却下されるべきものである。 
　
３　本願発明について 
　
　平成２１年３月２日付け手続補正は上記のとおり却下されたので、本願の請求項１に係る発明（以下、「本願発明」という。）は、願書に最初に添付した特許請求の範囲、明細書及び図面の記載からみて、請求項１に記載された事項により特定される次のとおりのものと認める。
「検出量に応じた電圧値を出力するセンサと、該センサの出力電圧に基づいて、前記検出量を検出する検出手段とを備えたセンサ出力値検出装置において、
　基準となる基準電圧を出力する基準電圧発生手段と、
　前記基準電圧発生手段から出力される基準電圧に応じた検出量と、予め記憶した基準電圧に対応した理想検出量とを比較して、両者のズレの割合を算出する算出手段と、
　前記センサから出力された電圧値に基づいて前記検出手段によって検出された検出量を、前記算出手段により算出されたズレの割合に応じて補正する補正手段と、
　を備えることを特徴とするセンサ出力値検出装置。」
　
４　引用刊行物 
　
　引用刊行物に記載された引用発明は、前記「２　（２−２−６）」に記載されたとおりである。 
　
５　対比・判断
　
　本願発明は、前記「２」で検討した本願補正発明から、「センサ」についての限定事項である、「検出量」が「電圧」であるとの発明特定事項および出力される「電圧値」が「アナログ検出電圧値」であるとの発明特定事項を省き、「基準電圧発生手段」についての限定事項である、出力される「基準電圧」が「アナログ基準電圧値」であるとの発明特定事項を省き、「検出手段」についての限定事項である、「前記アナログ検出電圧値をデジタル信号に変換し、前記センサで検出された電圧を読み取るマイクロコンピュータ」であるとの発明特定事項を省き、「算出手段」及び「補正手段」についての限定事項である、「マイクロコンピュータ」が備える発明特定事項であるとの発明特定事項を省き、「算出手段」の「ズレの割合」の算出処理について、「予め記憶した前記基準電圧に対応したデジタル理想電圧値と前記デジタル基準電圧値とを比較し、デジタル理想電圧値とデジタル基準電圧値とのズレの割合を算出する」との発明特定事項を省き、「補正手段」の補正処理の対象が「デジタル検出電圧値」であるとの発明特定事項を省いたものである。
　そうすると、本願発明の発明特定事項をすべて含み、さらに他の発明特定事項を付加したものに相当する本願補正発明が、前記「２　（４）当審の判断」に記載したとおり引用発明に基づいて当業者が容易に発明をすることができたものであるから、本願発明も同様の理由により、引用発明に基づいて当業者が容易に発明をすることができたものである。
　
６　むすび 
　以上のとおり、本願発明は、引用発明に基づいて当業者が容易に発明をすることができたものであるから、特許法第２９条第２項の規定により特許を受けることができない。 
　したがって、他の請求項に係る発明について審理するまでもなく、本願は拒絶すべきものである。
　
　よって、結論のとおり審決する。